(57)【要約】      （修正有）【課題】自力で寝返りの出来ない寝たきり患者でも、介護者の寝返り補助動作と同様に、寝返り動作を患者自身で可能にする寝返り介護装置と、寝たきり患者、身体不自由患者等の移動手段の利便性に、移動用ストレッチャーにパレットを併用の電動式、移動＆寝返り装置を提供する。【解決手段】回転軸を可動、一側の回転軸前後に傘車４を軸架、その傘車に他側の傘車を接続、同時回転と成し、傘車位置の各々上部に偏芯輪を軸施、その偏芯輪回動の外周で一側ボトムの底面を、回転しながら上昇起立、寝たきり患者の寝返りを補助できる、又、他側のベッド作動は同一回転の操作で上昇起立、逆の作用も出来る。又ベッド下部に小型揺動運動装置を施設、脚部、下肢部の揺動運動により腰痛、足のムクミ等を癒し、更に偏芯輪の連続回転にて左右の交互起伏による、揺動運動も可能。介護者に依る患者の移動、メイキング等もできる。【選択図】図１
2007125344.tif 000002
【特許請求の範囲】
【請求項１】
本発明は、長期ベッド生活を余儀なくされる仰臥患等の、自力で寝返りできる手段を可能に成し、「図２−１９」位置を変え、起伏の予備運動が出来る特徴の、電動式移送＆寝返り装置。
【請求項２】
「請求項１」記載、仰臥患者等の介護、ベッドメイク又は、患者に検査を施すとき、患者の位置交換等、つまり入院した人の取り扱いをより容易に行うように設計された、「図２−１３」移送手段に搬送機を併用した特徴の電動式、移送＆寝返り装置。
【請求項３】
「請求項１」〜「請求項２」記載の電動ベッドの作動手段は、ベッドの長手方向のベッドの中央部を折れ込み式に施し。「図１−ｂ」一側回転軸の前後に傘車を軸架、他側に施設の軸に傘車を軸施、回転伝達、その各々の回転軸に原動機を連接、回転軸の上部に偏芯輪を軸架なし、回転偏芯輪の回転外周部が、「図１−７」ベッド底部の一側を上昇、更に他側のベッドも、交互に上昇作動が出来患者の寝返りを即すもので、介護人の肉体的の負担を軽減できる特徴の電動式、移送＆寝返り装置。
【請求項４】
本発明の仰臥患者等の移動手段に移動用ストレッチャーを設備、「図２−１８」台上の患者移動にトレイの付設で移動手段を軽減できる「請求項２」〜「請求項３」記載特徴の電動式、移送＆寝返り装置。
【請求項５】
本発明は仰臥患者、肢体不自由患者、重症患者、病弱老人等、寝たきりにより体重の圧迫による、床ずれ、血流、循環器の保護に「図１−７」定時的に左右に寝返りできる。「図１−１２」下肢部位置に、別途揺動機を施設、下半身の軽い揺動による新陳代謝を図り上記症状を癒し、ストレスを解消成す特徴の「請求項１」〜「請求項５」各項に記載。電動式、移動＆寝返り装置。
【発明の詳細な説明】
【技術分野】
【０００１】本発明は、長期間ベッド生活を余儀なくされる仰臥患者、肢体不自由患者、寝たきり老人等に患う、床ずれの問題があり、特に下肢のムクミ等、この様な問題が起こらないようにするために、寝たきり患者の定時的な間隔で、異なる姿勢を取らすために数人の看護師が必要で、介護者の肉体的な疲労を伴う、大変な努力が払われている。【０００２】前述「請求項１」〜「請求項２」記載、ベッドメイク、検査又は患者の移動手段移送に、「請求項４」「図２ｅ−１３」ストレッチャーの利便性を備え、介護者の労働力を軽減成し、寝返りできる手段に「請求項３」「図１−７」一側ベッドの起立と他側のベッドの起立による位置変えを可能に成し、且つ両側のベッドの交互に起立でき、寝返り補助を成し又、揺動運動作用により起伏の予備運動訓練の出来る特徴の、電動式、移送＆寝返り装置に関する。【０００３】上記揺動運動に相俟って起伏訓練を行う内に肩こり、腰痛、側筋、背筋、大腿四頭筋を癒す、「図１−１２」小型揺動機をベッド下方の腰部位置に、別途施設、上記記載の筋肉痛等を癒し、ストレスの解消を図る特徴の、電動式、移送＆寝返り装置に存する。
【背景技術】
【０００４】仰臥患者、肢体不自由患者の長期間ベッド上生活で、寝たきりによる床ずれの問題解消に、「図４」記載、
【特許文献１】参照ベッド上にて両膝の裏側部分を持ち上げて両膝を立てる、膝たて装置と両膝を立てた状態での寝返り方向に倒す膝倒し装置を設けた、寝返り運動装置が提案されている。然し、長期間ベッド生活での寝たきり老人、肢体不自由患者が、装置を使用するための最初の難関となり、この為に介護者の介助を必要とし、患者の極めて肉体的な負担が大きい。又、
【特許文献２】参照、仰臥患者の腰部下にベルトを設備、その先端部をホイスト用のもので、位置替えを成すものであり、患者に恐怖心を与えないか、危険性をも感じます、自然体での介護が望ましい。
【発明の開示】
【発明を解決しようとする課題】
【０００５】老人社会と言われる今日、看護師、介護者、に関わる負担が重く、取沙汰されている情勢に鑑み、肉体的疲労度は絶大なものであります。従って介護のための人的負担を軽減成すに、社会的協力の必要性がある。
【０００６】寝たきりの、重症患者のベッド間の移動等に多人数を要し、看護師介助者に掛かる、疲労は顕著であり、看護師、介助者スタップ等には、かなりの熟練度がもとめられ、頑健さが要求される事は理解出来る。  患者の位置を変える作業には、少なくとも三名以上のスタップが必要とされる事は尋常ではない、従って、彼女等に掛かる肉体的の負担、疲労度は大変なものである。
【発明を解決するための手段】
【発明の効果】
【０００７】前述の案件を解決するに、「図２−ｃ」ベッドの長形方向中央部を中折れ装置に施し、両側のベッドの「図１−ａ」起伏作動での寝返り手段機構。「図１−ｂ」一側の回転軸前後に傘車を配し、他側軸の傘車と接続各々の回転軸に偏芯輪を軸架なし「図１ｂ−４」回転軸を原動機に接続、連動の回転軸位置に偏芯輪を軸架「図１ａ−７」偏芯輪の外周面でベッドの底面を回転しながら押し上げ、仰臥患者、身体不自由者、寝たきりの老人の寝返り介護手段を補助成す、電動式、移動＆寝返り装置に存する。
【０００８】本案の、患者の移動手段に「図２−ｃ１３」搬送用のストレッチャーを常備、多忙を極めている看護師、介助者等の肉体的負担を軽減したい。移送用のストレッチャーとベッドの高さ調整に「図２−ｃ１３」昇降機を搭載、ブレーキで完全ロック高低差をアジャストで微調整、特に安全を重視の移動ストレッチャーの活用で寝たきり患者等に、負担を掛けない電動式、移動＆寝返り装置を提供。
【発明を実施するための最良の形態】
【実施例】
【０００９】実施例に基ずき、本発明に係る、電動式、移動＆寝返り装置について説明するが、本説明を限定する意図のものでなく、技術的思想を逸脱しない範囲に於いて変更しうるものである事は勿論である。長期入院の患者、病弱老人、身体障害者、等の回復に向かう途上、一日も早い社会復帰を願い考案を提供する。電動式、移動＆寝返り装置に存する。【００１０】上記移動＆寝返り装置は、回転軸を基本の回転回動を採用。揺動運動には、各偏芯輪の回転は∞形軌道をエンドレスに回転成す機構で、安全に配慮、特に機械音の発生は殆どない機構で，メンテナンスも容易である。【００１１】前記移動＆寝返り装置の構成は「図２−１９」ボトムの縦方向中央部を折れ込み式は、先に説明の回転軸に偏芯輪を軸架、回転回動の偏芯輪外周でベッドの底部を上昇起伏作動で、寝たきり患者の寝返りの補助を成す機構で、更に腰部下肢位置に「図３」記載の小型揺動機を施設、揺動機の回動運動は∞形軌跡をエンドレスに回転成し、寝たきり患者を癒す特徴の電動式、移動＆寝返り装置。【００１２】又看護師、介護者のケヤー作業で一番大きな負担作業は患者の、移動、移送にあり「図２−ｃ１３」寝返り時の患者又は、ベッド交換、ベッドメイキング等の、患者の位置移動には強靭な体力が要求され、大変な労働作業には感服します。この大変さをカバーするに、「図２−ｃ１３」ストレッチャーの併用により安全で、介護者の人的負担の軽減を図り、肉体的疲労をコントロールし、体調を整え万全の体制で、患者のホロー、ケヤーに頑張って貰いたい。
【産業上の利用可能性】
【００１２】本発明は高齢化社会と言われている社会現象に鑑み、前述の仰臥患者及び身体障害者、病弱の老人患者等、入院患者の看護に携わる看護師、介護者の努力は並大抵で無い苦労が、連日要求されている。かかる問題点を緩和するには社会全体の理解力と、英知による協力が必要に感じております。【００１３】先ずは、第一に患者の移動作業が看護師、介護者の肉体的疲労負担を軽減成すに前記記載の、「図２ｅ−１３」ストレッチャー及トレイを常備、患者に無理を感じさせない。安心感を伝え、安全に看護、介護に専念してもらいたい。移動＆寝返り装置の作動は、「図１−ｂ」記載回転軸の基本運転によりスムーズの回転で殆んど機械音を発しない静かなマシーン。寝返りの補助に殆んど介護者の手を煩わさない装置、しかも患者に不安感、恐怖感を与える事も少ない特徴の安心安全の電動式、移動＆寝返り装置を提供します。
【図面の簡単な説明】
【００１４】
【図１】本発明に係る電動式移動＆寝返りよう装置の概略側面図
【図２】本発明に係る電動式移動＆寝返り装置の概略作動図
【図３】本発明に係る電動式移動＆寝返り装置の概略装置図
【図４】本発明に係る特許文献参照参考図「文献１：特開２０００−３００６２２」「文献２：特開Ｈ１１−１５１２７４」
【符号の説明】
【００１５】１：偏芯盤
２：上昇受け板
３：原動機
４：傘車
５：軸受け
６：カップリング
７：遊星輪
８：ボトム
９：枠台
１０：蝶番
１１：破線
１２：下肢部揺同機
１３；ストレッチー
１４：アジャスト
１５：調整ハンドル
１６：ワゴン
１７：引き手
１８：ボトム上昇位置
１９：揺動カバー
２１：回転方向
【図１】
2007125344.tif 000003
【図２】
2007125344.tif 000004
【図３】
2007125344.tif 000005
【図４】
2007125344.tif 000006